(57)【要約】【課題】簡易な操作で、疾患部位を観察し易い複数の画像を得ることができる撮像装置を提供する。【解決手段】疾患部位を被写体として撮影する撮像装置１０は、カメラ本体１と、カメラ本体１に設けられ、互いに特性の異なる第１光源１１ａ及び第２光源１２ａを備えるライトユニット３と、を備え、カメラ本体１が、被写体に第１光源１１ａを照射して撮影し、続けて被写体に第２光源１２ａを照射して撮影することにより連写撮影を行うことを特徴とする。【選択図】図４
2019115648.tif 000002
【特許請求の範囲】
【請求項１】
疾患部位を被写体として撮影する撮像装置であって、
カメラ本体と、
前記カメラ本体に設けられ、互いに特性の異なる第１光源及び第２光源を備えるライトユニットと、を備え、
前記カメラ本体が、前記被写体に前記第１光源を照射して撮影し、続けて前記被写体に前記第２光源を照射して撮影することにより連写撮影を行うことを特徴とする撮像装置。
【請求項２】
前記第１光源が偏光光を照射するように構成されており、前記第２光源が非偏光光を照射するように構成されていることを特徴とする請求項１に記載の撮像装置。
【請求項３】
疾患部位を被写体として撮影する撮像装置であって、
カメラ本体と、
前記カメラ本体に設けられ、偏光光を照射する第１光源及び非偏光光を照射する第２光源を備えるライトユニットと、を備え、
前記カメラ本体が、前記被写体に前記第１光源又は前記第２光源を照射して撮影し、続けて前記被写体に前記第２光源又は前記第１光源を照射して撮影することにより連写撮影を行うことを特徴とする撮像装置。
【請求項４】
前記連写撮影が１回のシャッタ操作で行われることを特徴とする請求項１から３のいずれか１項に記載の撮像装置。
【請求項５】
前記ライトユニットがスイッチをさらに備え、
前記カメラ本体が、前記スイッチがオンのとき、前記第１光源及び前記第２光源の双方を順次に照射して連写撮影を行うことを特徴とする請求項１から４のいずれか１項に記載の撮像装置。
【請求項６】
前記スイッチがオンのとき、前記第１光源の照射下で撮影して前記第１光源を消灯した後に、前記第２光源を点灯して前記第２光源の照射下での連写撮影が行われることを特徴とする請求項５に記載の撮像装置。
【請求項７】
前記スイッチがオンのとき、前記第２光源の照射下で撮影して前記第２光源を消灯した後に、前記第１光源を点灯して前記第１光源の照射下での連写撮影が行われることを特徴とする請求項５に記載の撮像装置。
【請求項８】
前記第１光源及び前記第２光源がそれぞれ光軸を中心に対向して一対に設けられ、前記一対の第１光源と前記一対の第２光源がそれぞれ千鳥状に配置されていることを特徴とする請求項１から７のいずれか１項に記載の撮像装置。
【請求項９】
前記ライトユニットが、可視光、紫外光及び近赤外光の少なくとも２つの光源を含み、前記カメラ本体が１回のシャッタ操作で可視光、紫外光及び近赤外光の少なくとも２つの光を用いて連写することを特徴とする請求項１又は３に記載の撮像装置。
【請求項１０】
独立した少なくとも１つのフィルタを有し、前記フィルタが光軸に対して位置及び退避することが可能なフィルタユニットをさらに備えることを特徴とする請求項１又は３に記載の撮像装置。
【請求項１１】
前記フィルタが回転動作によって位置及び退避することを特徴とする請求項１０に記載の撮像装置。
【請求項１２】
前記フィルタユニットが、赤外カットフィルタ及び偏光フィルタを含むことを特徴とする請求項１０又は１１に記載の撮像装置。
【請求項１３】
前記フィルタユニットが、近赤外光透過フィルタ及び偏光フィルタを含むことを特徴とする請求項１０又は１１に記載の撮像装置。
【請求項１４】
前記第１光源及び前記第２光源は、前記カメラ本体の光軸に干渉しない位置に配置され、光軸に向かってテーパ状に前記被写体の方向に光を照射することを特徴とする請求項１から１３のいずれか１項に記載の撮像装置。
【請求項１５】
カメラ本体と、前記カメラ本体に設けられ、互いに特性の異なる第１光源及び第２光源を備えるライトユニットとを備え、疾患部位を被写体として撮影する撮像装置の撮像方法であって、
１回のシャッタ操作により、
前記第１光源を前記被写体に照射して前記被写体を撮影する工程と、
前記第２光源を前記被写体に照射して前記被写体を撮影する工程と、
を備えることを特徴とする撮像方法。
【請求項１６】
カメラ本体と、前記カメラ本体に設けられ、第１光源及び第２光源を備えるライトユニットとを備え、疾患部位を被写体として撮影する撮像装置の撮像方法であって、
１回のシャッタ操作により、
前記第１光源により前記被写体に偏光光を照射して前記被写体を撮影する第１工程と、
前記第２光源により前記被写体に非偏光光を照射して前記被写体を撮影する第２工程と、
を備えることを特徴とする撮像方法。
【請求項１７】
前記第１工程では前記疾患部位の皮膚内部の撮像画像を取得し、
前記第２工程では前記疾患部位の表皮の撮像画像を取得する
ことを特徴とする請求項１６に記載の撮像方法。  
【発明の詳細な説明】
【技術分野】
【０００１】
本発明は、撮像装置、特に、疾患部位の診断を支援するための撮像装置及びその撮像方法に関する。
【背景技術】
【０００２】
近年、皮膚科領域において、ダーモスコピーは、色素性皮膚疾患の診断に重要な位置を占めるようになった。ダーモスコピーとは、表皮及び真皮浅層の色調の分布と構造を観察する検査法である。ダーモスコープとは、ハロゲンランプ等で病変部を明るく照射し、エコージェルや偏光フィルタなどにより反射光の無い状態に設定し、１０倍程度に拡大して観察する非侵襲性診察器具である。この器具を用いた観察法をダーモスコピー診断と呼んでいる。このダーモスコピー診断によれば、角質による乱反射がなくなることにより、表皮内から真皮浅層までの色素分布が良く観察できる（例えば、特許文献１参照）。
【０００３】
しかしながら、特許文献１に記載の発明では、カメラにアタッチメントを装着しない状態と、アタッチメントを装着した状態とで、２回に分けて撮影操作をしなければならないという課題があった。なお、上記では、色素性皮膚疾患などの皮膚疾患について背景技術を説明したが、本発明は、皮膚疾患用のダーモスコピーカメラに限られことなく、より一般的に被写体の疾患を撮影する場合にも適用される。
【先行技術文献】
【特許文献】
【０００４】
【特許文献１】特開２０１５−１５２６０１号公報
【発明の概要】
【発明が解決しようとする課題】
【０００５】
本発明は、このような事情に鑑みなされたものであり、簡易な操作で、疾患部位を観察し易い複数の画像を得ることができるようにすることを目的とする。
【課題を解決するための手段】
【０００６】
上記した課題を解決するために本発明の一態様は、疾患部位を被写体として撮影する撮像装置であって、カメラ本体と、前記カメラ本体に設けられ、互いに特性の異なる第１光源及び第２光源を備えるライトユニットと、を備え、前記カメラ本体が、前記被写体に前記第１光源を照射して撮影し、続けて前記被写体に前記第２光源を照射して撮影することにより連写撮影を行うことを特徴とする。
本発明の他の特徴は、本明細書及び添付図面の記載により明らかにする。
【発明の効果】
【０００７】
本発明によれば、簡易な操作で、疾患部位を観察し易い複数の画像を得ることができる。
【図面の簡単な説明】
【０００８】
【図１】第１実施形態に係る撮像装置の斜視図である。
【図２】図１の分解斜視図である。
【図３】図１におけるライトユニット及びカメラ本体を説明する側断面図である。
【図４】図１におけるライトユニットを説明する正面図である。
【図５】第１実施形態に係る撮像装置の動作フローを説明する図である。
【図６】第２実施形態に係る撮像装置の正面図である。
【図７】図６の分解斜視図である。
【図８】図７におけるライトユニットの斜視断面図である。
【図９】図７にけるカメラ本体の斜視断面図である。
【図１０】図８におけるライトユニットとカメラ本体（レンズユニット）の関係を模式的に説明する図である。
【図１１】近赤外偏光フィルタ及び近赤外透過フィルタの透過率を説明するグラフである。
【図１２】図６におけるライトユニットの正面図である。
【図１３】図１２におけるＸ−Ｘ線断面図である。
【図１４】図１２におけるＹ−Ｙ線断面図である。
【図１５】第３実施形態に係る撮像装置の部分透視図である。
【図１６】図１５においてフィルタユニットの第１の動作態様を示す図である。
【図１７】図１５においてフィルタユニットの第２の動作態様を示す図である。
【図１８】図１５においてフィルタユニットの第４の動作態様を示す図である。
【図１９】第３実施形態に係るフィルタユニットの動作フローを説明する図である。
【図２０】図１９においてライトユニットの関係を説明する図である。
【発明を実施するための形態】
【０００９】
以下、本発明を適用したカメラの実施形態について、図面を参照しながら説明する。なお、当該カメラは「ほくろ」などの癌（メラノーマ）を診察するための撮像装置であるダーモスコピーカメラや、より一般的に被写体に接触することで撮影する撮像装置であるクローズアップカメラなどに適用されるものであるが、本願明細書では、ダーモスコピーカメラに代表させて説明する。なお、本願明細書では、「マイクロスコープ（Microscope）：顕微鏡」及び「マイクロスコピー（Microscopy）：顕微鏡による検査又は顕微鏡使用（法）」の使い分けに準じ、「ダーモスコープ（Dermoscope）」及び「ダーモスコピー（Dermoscopy）」の用語を、皮膚検査用の拡大鏡（装置）及び同拡大鏡を用いた皮膚検査又は同拡大鏡使用（行為）という意味で用いている。
【００１０】
（第１実施形態）
（ダーモスコピーカメラ１０の全体構成）
まず、第１実施形態に係るダーモスコピーカメラ１０（撮像装置）について説明する。第１実施形態に係るダーモスコピーカメラ１０は、ライトユニット３に設けられている偏光の有るＬＥＤ１１ａと偏光の無いＬＥＤ１２ａの照射下で１回のシャッタ操作にて偏光／非偏光の画像を順次に撮影して保存でき、ＡＥ（自動露出）やホワイトバランスや外光等の影響の違いや画角ズレの違いが全くない、２枚の偏光／非偏光の病変画像の撮影が可能になる。以下、詳しく説明する。
【００１１】
図１は、第１実施形態に係る撮像装置１０の斜視図である。図２は、図１の分解斜視図である。図３は、図１におけるライトユニット３及びカメラ本体１を説明する側断面図である。図４は、図１におけるライトユニット３を説明する正面図である。図５は、第１実施形態に係る撮像装置１０の動作フローを説明する図である。
【００１２】
なお、以下の説明において、図１に示すように、撮像対象側をダーモスコピーカメラ１０の前方（前面、正面）、その反対側を後方とし、ダーモスコピーカメラ１０を前方から見たときの上下左右方向をそのまま上下左右方向とした直交座標系に基づいて説明するものとする。また、各部材に関する取り付けは、特に言及がない限り、ネジ、ビス等を用いた取り付けや、嵌合等の取り付け等、適宜の方法で行えばよい。
【００１３】
図１及び図２に示すように、ダーモスコピーカメラ（撮像装置）１０は、カメラ本体（撮像装置本体、単に「本体」ともいう）１と、カメラ本体１の前方に設けられたライトユニット３と、カメラ本体１の後方に設けられたコントローラ２とによって概略構成されている。ライトユニット３は、「ほくろ」を主な被写体として皮膚疾患部を接触状態で撮影する。カメラ本体１及びライトユニット３は、取り付けステー４及びステー固定ネジ５によって、コントローラ２に取り付けられる。
【００１４】
カメラ本体１の図中上側には、カメラ本体１の電源又は充電の状態を示す電源ランプ１７が設けられている。ライトユニット３の図中右側には、ライトユニット３に係る電源ボタン８及び電池部９が付属しており、電池部９の底部には、後述する連写動作を行うことができるように、スイッチ１８（ＯＮ／ＯＦＦ）が設けられている。
【００１５】
（カメラ本体１）
カメラ本体１は、図３に示すように、筐体１ａを有し、この筐体１ａの内部に撮像レンズ系（例えば、ズームレンズ）１ｄや、撮像レンズ系１ｄの後方に回路配線基板１ｂ及び撮像素子１ｃといった種々の構成部品を収容している。カメラ本体１の図中上側には、前述のとおり、カメラ本体１の電源又は充電の状態を示す電源ランプ１７が内蔵されている。撮像レンズ系１ｄの先端は、偏光フィルタ１４によって覆われている。ここでは、偏光フィルタ１４を撮像レンズ系１ｄの先端に設けているが、撮像素子１ｃの手前に設けてもよいし、レンズ系１ｄの内部に設けてもよい。
【００１６】
カメラ本体１としては、通常の撮影に用いられる公知の撮影装置、例えば市販されているデジタルカメラの構成を採用することができ、例えば、撮像レンズ系１ｄ、回路配線基板１ｂ、及び撮像素子１ｃは、公知の部品を用いることができる。撮像レンズ系１ｄは公知の光学レンズを有している。また、撮像素子１ｃとしては、ＣＣＤ（Charge Coupled Device）イメージセンサやＣＭＯＳ（Complementary Metal Oxide Semiconductor）イメージセンサを用いることができる。
【００１７】
（コントローラ２）
コントローラ２には、図２に示すように、上面にシャッタボタン２ａが設けられている。さらに、コントローラ２の内部には、撮像素子１ｃが読み取った撮影画像を記憶する記憶部や、ダーモスコピーカメラ１０の各部を制御する制御部が、また、コントローラ２の後面には、撮影画像を表示する画面が設けられている（これらは、不図示）。なお、この画面は、ダーモスコピーカメラ１０の各種設定を実行するためのタッチパネル式の画面としてもよい。
【００１８】
（ライトユニット３）
ライトユニット３は、図３に示すように、円錐体の先端がカットされたような筒状体の第１カバー体３Ａと、第１カバー体３Ａの先端に取り付けられ、発光部７が設けられた第２カバー体３Ｂを備えている。第１カバー体３Ａ及び第２カバー体３Ｂは、例えばポリ塩化ビニル誘導体やアクリル系樹脂などの樹脂から構成されている。
【００１９】
発光部７には、光源として、ＬＥＤ基板１１に実装されたＬＥＤ（Light Emitting Diode）１１ａ（第１光源）、同じくＬＥＤ基板１２に実装されたＬＥＤ１２ａ（第２光源）が設けられている。ここでは、ＬＥＤ１１ａは偏光フィルタ１３によって覆われる（偏光フィルタ付き）一方、ＬＥＤ１２ａは偏光フィルタ１３に覆われていない態様（非偏光光）を示している。第２カバー体３Ｂの先端の開口にはカバー部材６が嵌め込まれており、ダーモスコピー撮影時に被写体である皮膚疾患部に接触する。ＬＥＤ１１ａ及びＬＥＤ１２ａは、カメラ本体１の撮像レンズ系１ｄの光軸に干渉しない位置に配置され、撮像レンズ系１ｄの光軸に向かってテーパ状に撮影の対象である皮膚疾患部の方向に光を照射する。これにより、被写体である皮膚疾患部に光を集中し、肌の表面すなわち角層や表皮での反射を抑制して真皮での反射を促すことにより、疾患の撮影を適切に行うことができる。
【００２０】
なお、ここでは、ＬＥＤ１１ａを第１光源、ＬＥＤ１２ａを第２光源と呼称したが、「光源」という用語は、発光素子だけでなく、偏光フィルタや近赤外フィルタ、赤外カットフィルタ、着色フィルタ、拡大レンズ、反射板等、光の特性に影響を与える部材も含めて光源又は光源手段と呼称する場合がある。すなわち、被写体に対して照明として照射される光を作り出すものを、光源と呼称する場合がある。また、ここでは、偏光フィルタに覆われたＬＥＤと偏光フィルタの無いＬＥＤを別々に設置しているが、偏光フィルタが物理的に移動することによって、ＬＥＤの前に位置及び退避することによって、偏光光と非偏光光の照射を変えるようにしてもよい。また、ＬＥＤの外装部材が偏光部材で構成されていてもよい。
【００２１】
第１カバー体３Ａの図中右上側には、カメラ本体１の電源ランプ１７に対応する位置に窓部１５ａが設けられており、窓部１５ａのライトユニット３側には電源ランプ１７の点灯状態を受光する受光手段としてフォトセンサ１５が搭載されている。フォトセンサ１５は、例えば有線（不図示）にてＬＥＤ制御基板１６に接続されており、ＬＥＤ制御基板１６は、同じく有線（不図示）にてＬＥＤ１１ａが実装されているＬＥＤ基板１１に接続されている。これにより、第１実施形態では、カメラ本体１とライトユニット３をレリーズに連動させることが可能となる。
【００２２】
図４はライトユニット３の正面図を示しており、ＬＥＤ基板１１に実装されたＬＥＤ１１ａ及びＬＥＤ基板１２に実装されたＬＥＤ１２ａは、照射される光にムラを生じさせないため、発光部７の上下において、互いに千鳥状となるように一対で設けられた例を示している。後述するように、偏光をかけた光を照射するときには一対のＬＥＤ１１ａのみを点灯し、偏光をかけない光を照射するときには一対のＬＥＤ１２ａのみを点灯する。なお、ここでは、ＬＥＤ１１ａ及びＬＥＤ１２ａを一対とするにあたって、発光部７の上下において互いに千鳥状となるように一対で設けられた例を示しているが、発光部７の上下に代えて左右や斜め方向に一対としてもよく、要するに、光軸を中心に対向して一対とすれば等価の効果が得られる。
【００２３】
なお、図３及び図４では、ＬＥＤ１１ａは偏光フィルタ１３に覆われ、ＬＥＤ１２ａは偏光フィルタ１３に覆われていない態様を示しているが、常に偏光効果が求められる場合の使用に備えてＬＥＤ１１ａとＬＥＤ１２ａの双方が偏光フィルタ１３に覆われるように用意してもよいし、逆に、常に偏光効果が求められない場合の使用に備えてＬＥＤ１１ａとＬＥＤ１２ａの双方が偏光フィルタ１３に覆われないようにしてもよい。すなわち、皮膚疾患部の状況によって偏光フィルタ１３の必要の有無を判断すればよいが、図３に示すように、偏光フィルタ１３に覆われたＬＥＤ１１ａと、偏光フィルタ１３に覆われていないＬＥＤ１２ａの双方を備えておけば、図２に示したスイッチ１８（ＯＮ／ＯＦＦ）によってＬＥＤ１１ａとＬＥＤ１２ａを連写撮影時に自動的に切り替えることにより、偏光の有り／無しの撮影を１回のシャッタ操作で実現することが可能となる。偏光フィルタ１３を取り付けた場合は、カメラ本体１の撮像レンズ系１ｄの先端を覆う偏光フィルタ１４と相まって皮膚表面の不要な反射を取り除き、明瞭な表皮状態を診察することが可能となる。
【００２４】
（ダーモスコピーカメラ１０の動作）
図５を参照しつつ、ダーモスコピーカメラ１０の動作フローを説明する。図５は、ライトユニット３において偏光フィルタ１３に覆われているＬＥＤ１１ａが点灯している状態から開始する場合を示している（図中左側に図示したライトユニット３におけるステップＳ３０１）。
【００２５】
まず、コントローラ２においてダーモスコピーカメラ１０の電源をＯＮにする（ステップＳ１０１）。そうすると、カメラ本体１の電源ランプ１７が消灯状態から緑点灯状態となる。次に、コントローラ２で連写設定を行い（ステップＳ１０２）、シャッタボタン２ａによってレリーズを操作する（ステップＳ１０３）。
【００２６】
このとき、ライトユニット３の電源ボタン８がＯＮにされた状態で、スイッチ１８（ＯＮ／ＯＦＦ）によって通常連写とするか切替連写とするかを切り替えておく。ここで、通常連写とは、スイッチ１８をＯＦＦとすることによって、偏光フィルタ１３に覆われたＬＥＤ１１ａ及び偏光フィルタ１３に覆われていないＬＥＤ１２ａのいずれか同じＬＥＤの照射下において連写することを意味し、これに対し、切替連写とは、スイッチ１８をＯＮとすることによって、偏光フィルタ１３に覆われたＬＥＤ１１ａと偏光フィルタ１３に覆われていないＬＥＤ１２ａを自動切替で異なるＬＥＤの照射下によって連写することを、それぞれ意味する。
【００２７】
レリーズ時に、スイッチ１８がＯＦＦであれば、すなわち、通常連写がＹＥＳであれば（ステップＳ１０４の「Ｙ」）、電源ランプ１７は緑点灯状態のままとされ、ＬＥＤ１１ａの照射下において（ステップＳ３０１）２枚連写で画処理され、保存される（ステップＳ１０５）。なお、通常連写がＹＥＳの場合は、連写ではなく、1枚の写真を撮ることができるような設定を加えてもよいし、スイッチ１８がＯＮのときと第１光源と第２光源の照射の順番を変えるように使うこともできる。
【００２８】
他方、リレーズ時に、スイッチ１８がＯＮであれば、すなわち、通常連写がＮＯであれば（ステップＳ１０４の「Ｎ」）、ＬＥＤ１１ａの照射下において１枚目の撮影を行った後（ステップＳ１０６）、電源ランプ１７が緑点灯状態から赤点灯状態又は消灯状態に変更され（ステップＳ１０７）、フォトセンサ１５（受光素子）が電源ランプ１７の変更された状態を感知する（図中右側に図示したライトユニット３におけるステップＳ３０２）。
【００２９】
ライトユニット３は、フォトセンサ１５（受光素子）が電源ランプ１７の変更された状態を感知すると、直ちにＬＥＤ１１ａを消灯するとともにＬＥＤ１２ａを点灯させ（ステップＳ３０３）、２枚目の連写タイミングに合わせる。そして、ＬＥＤ１２ａの照射下において２枚目の撮影が連写として行われる（ステップＳ１０８）。その後、電源ランプ１７は、赤点灯状態又は消灯状態から緑点灯状態に戻され（ステップＳ１０９）、フォトセンサ１５（受光素子）が電源ランプ１７の変更された状態を感知する（ステップＳ３０４）。
【００３０】
ＬＥＤ１１ａの照射下において撮影された１枚目とＬＥＤ１２ａの照射下において撮影された２枚目を２枚連写として画処理され、保存される（ステップＳ１１０）。ライトユニット３は、フォトセンサ１５（受光素子）が電源ランプ１７の戻された状態を感知すると、ＬＥＤ１２ａを消灯するとともにＬＥＤ１１ａを点灯させてステップＳ３０１の状態に戻る（ステップＳ３０５）。
【００３１】
このように、第１実施形態に係るダーモスコピーカメラ１０は、偏光フィルタ１３に覆われているＬＥＤ１１ａの照射下における撮影と、偏光フィルタ１３に覆われていないＬＥＤ１２ａの照射下における撮影、すなわち、偏光効果の有り無しの状態を１回のシャッタ操作で連写することが可能となる。
【００３２】
なお、図５では、偏光フィルタ１３に覆われているＬＥＤ１１ａが点灯している状態から開始し、電源ランプ１７の点灯状態を変更することによって偏光フィルタ１３に覆われていないＬＥＤ１２ａに切り替えて連写することとしているが、これとは逆に、偏光フィルタ１３に覆われていないＬＥＤ１２ａが点灯している状態から開始し、電源ランプ１７の点灯状態を変更することによって偏光フィルタ１３に覆われているＬＥＤ１１ａに切り替えて連写するようにしてもよい。さらに、両方の連写を選択的に設定できるようにしてもよい。
【００３３】
（第２実施形態）
次に、第２実施形態に係るダーモスコピーカメラ２０について説明する。第２実施形態では、光源としてＬＥＤの種類が増強されており、可視光のＬＥＤ２１１ａ（第１光源）及びＬＥＤ２１２ａ（第２光源）に加えて、近赤外光のＬＥＤ２１５ａが設けられている。近赤外光のＬＥＤ２１５ａは紫外光のＬＥＤで置換してもよい。第１実施形態で述べた連写時において、高速で切り替えることにより、１回のシャッタ操作で３種類の光源の撮影が可能となる。以下、第１実施形態と異なる点を中心に説明する。
【００３４】
図６は、第２実施形態に係る撮像装置の正面図である。図７は、図６の分解斜視図である。図８は、図７におけるライトユニット２３の斜視断面図である。図９は、図７におけるカメラ本体２１の斜視断面図である。図１２は、図６におけるライトユニット２３の正面図である。図１３は、図１２におけるライトユニット２３のＸ−Ｘ線断面図である。図１４は、同じくライトユニット２３のＹ−Ｙ線断面図である。
【００３５】
図６に示すように、ダーモスコピーカメラ２０（撮像装置）は、カメラ本体２１と、カメラ本体２１の前方に設けられたライトユニット２３と、カメラ本体２１の後方に設けられたコントローラ２２とによって一体的に構成されている。これを図７によって分解してみると、カメラ本体２１はレンズユニット２１Ａと枠体２１Ｂを含み、ライトユニット２３は第１カバー体２３Ａと第２カバー体２３Ｂを含み、コントローラ２２は本体部２２Ａと回路基板２２Ｂと表示部２２Ｃを含んでいる。
【００３６】
ライトユニット２３は、より具体的には図８に拡大して斜視断面を示すように構成される。第１実施形態と異なる第１の点は、皮膚疾患部に接触せずに離間した状態で皮膚疾患部を撮影する場合に用いる光源として、通常撮影用のＬＥＤ２１６が設けられている。通常撮影用のＬＥＤ２１６は、第２カバー体２３Ｂの基端（後方側）の周囲に前方を向いて環状に配置されており、図６及び後述する図１２では、左右に３個ずつ、計６個が配置された例を示している。なお、図８では図中に全貌が描画されていないが、計８個が配置された例を示している。
【００３７】
通常撮影用のＬＥＤ２１６は、第２カバー体２３Ｂの中心に対して同心円上に等間隔で配置されており、撮像レンズ系２１ｄの外周位置から光を前方に向けて出射するリングフラッシュとして機能する。通常撮影用のＬＥＤ２１６は、白色光を発するＬＥＤから構成されている。第２カバー体２３Ｂの先端の開口にはカバー部材２６が嵌め込まれており、ダーモスコピー撮影時に被写体である皮膚疾患部に接触する。
【００３８】
第１実施形態と異なる第２の点は、発光部２７に、ダーモスコピー撮影用の光源として、前述のとおり、可視光のＬＥＤ２１１ａ及びＬＥＤ２１２ａに加えて、近赤外光のＬＥＤ２１５ａが設けられている。これらのＬＥＤが上下において一対となっていること、偏光フィルタ２１３に覆われている（偏光フィルタ付き）一対の可視光ＬＥＤ２１１ａと偏光フィルタ２１３に覆われていない（非偏光光）一対の可視光ＬＥＤ２１２ａが千鳥状に配置されていることは、第１実施形態と同様である。
【００３９】
カメラ本体２１は、レンズユニット２１Ａを囲うように支持する枠体２１Ｂを介して第１カバー体２３Ａに取り付けられる。レンズユニット２１Ａを抜き出してその断面を示すと、図９のとおりである。撮像レンズ系２１ｄの後方すなわち筐体２１ａの後面には回路配線基板２１ｂ及び撮像素子２１ｃが収容されており、その前方には、前から順に、赤外カットフィルタ２１ｅ（ＩＲＣＦ）、近赤外透過フィルタ２１ｆ、偏光フィルタ２１ｇが配置されている。近赤外透過フィルタ２１ｆは、ライトユニット２３の近赤外光のＬＥＤ２１５ａが紫外光のＬＥＤに置換された場合には、紫外透過フィルタに置換される。なお、図中左側には、コントローラ２２によってレンズユニット２１Ａを操作するためのフレキシブル回路基板２１ｈが延在している。
【００４０】
偏光フィルタ２１ｇの偏光性能にマッチした近赤外透過フィルタ２１ｆを組み合わせることにより、所望の画像を得ることができる。また、偏光フィルタ２１gを近赤外対応の偏光フィルタにして近赤外バンドパスフィルタと組み合わせることにより、近赤外領域において反射防止効果を適切に得て、肌の表皮を透過して真皮や血管の撮影を適切に行うことができる。
【００４１】
ここで、図１０及び図１１を用いて、近赤外光を用いたダーモスコピー撮影について説明する。図１０は、図８におけるライトユニット２３とカメラ本体２１（レンズユニット２１Ａ）の関係を模式的に説明する図である。図１１は、近赤外対応の偏光フィルタ２１４及び偏光フィルタ２１ｇと近赤外透過フィルタ２１ｆの透過率を説明するグラフである。
【００４２】
近赤外光は、前述したように、皮膚の最深部（真皮）を撮影するのに適しており、皮膚疾患部の病変をより一層正確に診断できる。そこで、本実施形態では、これも前述したとおり、図１０に示すように、ライトユニット２３の第２カバー体２３Ｂには、近赤外光のＬＥＤ２１５ａが上下一対に設けられており、ＬＥＤ２１５ａは近赤外対応の偏光フィルタ２１４によって覆われている。また、カメラ本体２１のレンズユニット２１Ａには、撮像レンズ系２１ｄの後方に、近赤外対応の偏光フィルタ２１ｇ、近赤外透過フィルタ２１ｆが設けられている。なお、図１０では、前方から順に偏光フィルタ２１ｇ、近赤外透過フィルタ２１ｆを設けているが、近赤外透過フィルタ２１ｆ、偏光フィルタ２１ｇの順に設けてもよい。
【００４３】
近赤外光のＬＥＤ２１５ａから照射された光は、近赤外対応の偏光フィルタ２１４を通して皮膚疾患部に照射される。皮膚疾患部で反射された光は、レンズユニット２１Ａの撮像レンズ系２１ｄに入射する。撮像レンズ系２１ｄに入射した光は、近赤外対応の偏光フィルタ２１ｇと近赤外透過フィルタ２１ｆを通過し、最終的に撮像素子２１ｃに到達する。ここで、偏光を直線偏光する場合、偏光フィルタ２１４と偏光フィルタ２１ｇは、お互いの偏光軸が直交する方向に配置される。
【００４４】
ここで、近赤外透過フィルタ２１ｆとして、一定の波長以上の近赤外帯域を広く透過させる近赤外ロングパスフィルタを用いると、次のような欠点が生じる。すなわち、偏光フィルタ２１４、近赤外ロングパスフィルタ及び近赤外バンドパスフィルタの透過率は図１１に示すとおりであり、近赤外対応の偏光フィルタ２１４及び偏光フィルタ２１ｇ（フィルムタイプ）は、単独であっても２枚を直交したものであっても、長波長側（図では、概ね８５０ｎｍ前後以上）にて偏光性能が無くなってしまう。一方、ＣＭＯＳセンサなどの撮像素子２１ｃは、概ね１０００ｎｍ程度まで感度を持っている。
【００４５】
そうすると、長波長側（図では、概ね７５０ｎｍ前後以上）まで光を通す近赤外ロングパスフィルタでは、偏光がされていない光を通してしまい、不要な領域までが撮像素子２１ｃに画像として捉えられてしまうこととなる。そこで、本実施形態では、近赤外透過フィルタ２１ｆとして近赤外バンドパスフィルタを採用し、偏光性能を保つ範囲の波長領域（図では、概ね７００ｎｍ前後〜概ね８００ｎｍ前後）のみ、光を通すこととしている。これにより、偏光性能がない不要な波長に係る領域はカットされ、皮膚疾患部の血管が良く見える波長に係る領域については確実に画像を捉えることができる。
【００４６】
ここで、皮膚疾患部の診断に際し、可視光でのダーモスコピー撮影に加え、近赤外光及び紫外光を照射できるように構成しておくことが好適な理由は次のとおりである。皮膚の最深部（真皮）を撮影するには近赤外光でのダーモスコピー撮影が適しており、それより波長が短くなるほど光は深部に届かなくなる傾向がある。また、色素病変ではメラニン、血管腫ではヘモグロビンが皮膚疾患部の色調の変化をもたらす色素となり得るが、後者のオキシヘモグロビンについては可視光の照射が適する一方、前者のドーパメラニンでは波長が長いほど光の吸収効率が低下するため、可視光より波長が短い紫外光がより効果的となる。
【００４７】
図１２はライトユニット２３の正面を拡大して示したものであるが、それぞれの光源であるＬＥＤ２１５ａ、ＬＥＤ２１１ａ、ＬＥＤ２１２ａ、ＬＥＤ２１６は、第１実施形態で説明したような制御の手段によって、４つのパターンで点灯することが可能となる。すなわち、近赤外光（又は紫外光）の上下一対のＬＥＤ２１５ａを点灯させる第１パターン、偏光フィルタ２１３に覆われた可視光の上下一対のＬＥＤ２１１ａを点灯させる第２パターン、偏光フィルタ２１３に覆われていない可視光の上下一対のＬＥＤ２１２ａを点灯させる第３パターン、通常撮影用のＬＥＤ２１６（ここでは、計６個）を点灯させる第４パターンである。
【００４８】
１回のシャッタ操作による連写としては、ダーモスコピー撮影に用いられる第１パターンから第３パターンを順不同に自動連写するように構成するこができる。さらには、通常撮影用の第４パターンも含めて自動連写するように構成することもできる。
【００４９】
図１３に図１２のＸ−Ｘ線断面（垂直断面）を、また図１４に図１２のＹ−Ｙ線断面（水平断面）をそれぞれ示す。図１３は、第１パターンから第３パターンにおいてダーモスコピー撮影を行った場合の垂直画角θｘを示している。垂直の場合、ＬＥＤ２１５ａ、ＬＥＤ２１１ａ又はＬＥＤ２１２ａは撮像レンズ系２１ｄの光軸に向かってテーパ状に光を照射されることから、カバー部材２６に接触した皮膚疾患部から反射された光の撮像レンズ系２１ｄへ入射する垂直画角θｘは相対的に狭くなる。例えば、図１３では、垂直画角θｘは３５．２°である。
【００５０】
なお、図１３において、ＬＥＤ２１５ａ（ＬＥＤ２１１ａ及びＬＥＤ２１２ａも含む）に制御信号を流すための有線２８及び端子２８ａが上下一対に設けられている。また、第１カバー体２３Ａの外周近傍には、図１４で示すＬＥＤ２１６に制御信号を流すための有線２９及び端子２９ａが設けられている。
【００５１】
図１４は、第１パターンから第３パターンにおいてダーモスコピー撮影を行った場合の水平画角θｙを示している。水平の場合、ＬＥＤ２１５ａ、ＬＥＤ２１１ａ又はＬＥＤ２１２ａは撮像レンズ系２１ｄの光軸と平行に照射されることから、カバー部材２６に接触した皮膚疾患部から反射された光の撮像レンズ系２１ｄへ入射する水平画角θｙは相対的に広くなり、例えば、図１４では、水平画角θｙは４７°である。
【００５２】
（第３実施形態）
次に、第３実施形態に係るダーモスコピーカメラ３０について説明する。第１及び第２実施形態においては、１シャッタにて偏光／非偏光の画像を連写動作によって撮影、保存するにあたり、偏光／非偏光の切替を偏光有りのＬＥＤ１１ａ，２１１ａと、偏光無しのＬＥＤ１２ａ，２１２ａを切替点灯することによって実行しているのに対し、第３実施形態では、切替点灯に加えて又は代えて、後述するように、光軸上に偏光フィルタ３１ｇが位置する場合と退避する場合とによって偏光／非偏光の切替を行うものである。
【００５３】
第３実施形態は、レンズユニット２１Ａの内部に、複数のフィルタが独立して光軸に対して位置又は退避可能に設けられたフィルタユニット３１を備える。以下、フィルタユニット３１の構成及び動作について、図１５から図２０を参照して説明する。なお、フィルタユニット３１以外の構成は、第２実施形態と同様であるので、以下の説明において、第２実施形態に係る図６から図１４を必要に応じて援用する。
【００５４】
ライトユニット２３は、図８に示すように、ダーモスコピー撮影のための可視光のＬＥＤ２１１ａ（第１光源）及びＬＥＤ２１２ａ（第２光源）を備えている。さらに加えて、近赤外光のＬＥＤ２１５ａが設けられている。近赤外光のＬＥＤ２１５ａは紫外光のＬＥＤで置換してもよい。ＬＥＤ２１１ａは偏光有り、ＬＥＤ２１２ａは偏光無しとして構成されている。また、第２カバー体２３Ｂには、その中心に対して同心円上に通常撮影（臨床撮影）用のＬＥＤ２１６が等間隔で配置されており、ＬＥＤ２１６は、撮像レンズ系２１ｄの外周位置から光を前方に向けて出射するリングフラッシュとして機能する。
【００５５】
フィルタユニット３１は、図１５に示すように、複数のフィルタ３１Ａと、複数のフィルタ３１Ａが取り付けられたフィルタ取付板３１Ｂを備えている。フィルタ取付板３１Ｂは、レンズユニット２１Ａの撮像レンズ系２１ｄの背面部（すなわち撮像素子２１ｃの側）に設けられており、固定部３１Ｃを介してレンズユニット２１Ａに固定される。フィルタユニット３１は、図９に示した第２実施形態に係るフィルタ類と同じ位置に設けられているが、その構成は以下に説明するように異なるものである。なお、フィルタ類は、撮像レンズ系２１ｄの前後いずれであっても設けることが可能であるが、ここでは、フィルタユニット３１のダーモスコピーカメラ３０への実装効率（実装するスペース、動作機構の配置）などを考慮して、撮像レンズ系２１ｄの後方すなわち撮像素子２１ｃの直前に設けている。
【００５６】
図１５では、複数のフィルタ３１Ａとして、赤外カットフィルタ３１ｅ、近赤外透過フィルタ３１ｆ、偏光フィルタ３１ｇの３枚が設けられている例を示している。ここでは、複数のフィルタ３１Ａが３枚の場合を示しているが、その枚数はこれら３枚に限られるものではなく、必要に応じて他のフィルタを加えて、例えば５枚や６枚の態様としても差し支えない。また、近赤外透過フィルタ３１ｆについては、遠赤外透過フィルタや紫外透過フィルタなどとしてもよい。また逆に、偏光フィルタ３１ｇの１枚だけにしてもよい。
【００５７】
複数のフィルタ３１Ａのそれぞれは、フィルタ取付板３１Ｂの中心（すなわち光軸）をカバーするフィルタ部３１Ａｆと、フィルタ部３１Ａｆをフィルタ取付板３１Ｂの外周部３１Ｂｏに取り付けるためのシャフト部３１Ａｓを備えており、シャフト部３１Ａｓの基端はピン３１Ｂｐでフィルタ取付板３１Ｂの外周部３１Ｂｏに軸支される。これによって、複数のフィルタ３１Ａのそれぞれは回転動作することができ、ピン３１Ｂｐを中心に独立して光軸に対して位置及び退避することが可能となる。
【００５８】
複数のフィルタ３１Ａのそれぞれは、後述するように、連写設定によって要求されるフィルタが独立して回転動作する。回転動作させるには、シャッタに連動して回転させる公知の技術を採用することができる。なお、複数のフィルタ３１Ａの動作については、回転動作のほかにも、スライド動作（引き戸動作）、開閉動作（開き戸動作）としてもよいが、ダーモスコピーカメラ３０の奥行方向の省スペースや、構造上の簡便さを確保するためには、回転動作が好ましい。
【００５９】
ライトユニット２３に設けられた各ＬＥＤに対応して各フィルタを動作させる場合の例を示す。第１の動作態様は、ダーモスコピー撮影にあたって、偏光無しの撮影を行う場合の動作である。この場合、図１６に示すように、偏光無しのＬＥＤ２１２ａを点灯させたうえで、赤外カットフィルタ３１ｅを矢印Ｅの方向に回転動作させて光軸上に位置させる。
【００６０】
第２の動作態様は、ダーモスコピー撮影にあたって、偏光有りの撮影を行う場合の動作である。この場合、図１７に示すように、偏光無しのＬＥＤ２１２ａに代えて偏光有りのＬＥＤ２１１ａを点灯させたうえで、赤外カットフィルタ３１ｅを矢印Ｅの方向に、偏光フィルタ３１ｇを矢印Ｇの方向に回転動作させて光軸上に位置させる。
【００６１】
第３の動作態様は、通常撮影（臨床撮影）を行う場合の動作である。この場合（不図示）、通常撮影（臨床撮影）用のＬＥＤ２１６を点灯させたうえで、赤外カットフィルタ３１ｅを回転動作させて光軸上に位置させる。
【００６２】
第４の動作態様は、ダーモスコピー撮影にあたって、近赤外光を用いて偏光有りの撮影を行う場合の動作である。この場合、図１８に示すように、近赤外光のＬＥＤ２１５ａを点灯させたうえで、偏光フィルタ３１ｇを矢印Ｇの方向に、近赤外透過フィルタ３１ｆを矢印Ｆの方向に回転動作させて光軸上に位置させる。
【００６３】
なお、第１から第３の動作態様のように、赤外カットフィルタ３１ｅは、ダーモスコピー撮影の場合であっても通常撮影（臨床撮影）の場合であっても、また、偏光有りのＬＥＤ２１１ａを点灯させる場合であっても偏光無しのＬＥＤ２１２ａを点灯させる場合であっても、可視光による撮影では光軸上に位置させる。これは、デジタル画像に起こりやすい赤色発生（赤外部分）をカットするためである。一方、第４の動作態様のように、近赤外光（紫外など可視光以外のその他の波長の光を含む）のＬＥＤ２１５ａを点灯させて照射する時には光軸上から退避させるため、赤外カットフィルタ３１ｅも回転動作を可能に構成されている。
【００６４】
（ダーモスコピーカメラ３０の動作）
図１９及び図２０を参照しつつ、ダーモスコピーカメラ３０の動作フローを説明する。図１９は、フィルタユニット３１を単独で切り替える場合を、図２０は、フィルタユニット３１をライトユニット２３と連動させて切り替える場合を示す。なお、第１及び第２実施形態と共通する要素には、それぞれの実施形態における符号をそのまま付している。
【００６５】
図１９に示すように、まず、コントローラ２においてダーモスコピーカメラ３０の電源をＯＮにする（ステップＳ３０１）。次に、コントローラ２で連写設定を行い（ステップＳ３０２）、シャッタボタン２ａによってレリーズを操作する（ステップＳ３０３）。
【００６６】
レリーズ時に、スイッチ１８がＯＦＦであれば、すなわち、通常連写がＹＥＳであれば（ステップＳ３０４の「Ｙ」）、フィルタユニット３１の各フィルタを切り替えることなく、連写で画処理され、保存される（ステップＳ３０５）。
【００６７】
他方、リレーズ時に、スイッチ１８がＯＮであれば、すなわち、通常連写がＮＯであれば（ステップＳ３０４の「Ｎ」）、赤外カットフィルタ３１ｅを回転動作により光軸上に位置させて１枚目の撮影を行った後（ステップＳ３０６）、続いて、偏光フィルタ３１ｇを回転動作により重ねて光軸上に位置させて２枚目の撮影を行う（ステップＳ３０７）。
【００６８】
引き続いて、偏光フィルタ３１ｇを退避させ、赤外カットフィルタ３１ｅを用いて３枚目の撮影を行った後（ステップＳ３０８）。そして、赤外カットフィルタ３１ｅを退避させた後、偏光フィルタ３１ｇと近赤外透過フィルタ３１ｆを光軸上に位置させて４枚目の撮影を行う（ステップＳ３０９）。そして、一連の連写により撮影された画像は画処理され、保存される（ステップＳ３１０）。
【００６９】
なお、ステップＳ３０８やステップＳ３０９は、１回のシャッタによる連写に加えるかどうかは選択的であり、ユーザ（医師など）の意向によって任意に設定できる。
【００７０】
図２０は、図１９にライトユニット２３の各光源の点灯を組み合わせて示したものであり、ステップＳ３０６に対応して偏光無しのＬＥＤ２１２ａを（ステップＳ３０６Ｌ）、ステップＳ３０７に対応して偏光有りのＬＥＤ２１１ａを（ステップＳ３０７Ｌ）、ステップＳ３０８に対応して通常撮影（臨床撮影）用のＬＥＤ２１６を（ステップＳ３０８Ｌ）、ステップＳ３０９に対応して近赤外光のＬＥＤ２１５ａを（ステップＳ３０９Ｌ）、それぞれ同時に点灯させる。
【００７１】
（実施形態の効果について）
以上説明したように、本実施形態に係るダーモスコピーカメラ１０，２０においては、簡易な構成及び操作で、偏光の無いＬＥＤ１２ａ，２１２ａの照射下で皮膚表面を観察できる状態の画像を、偏光の有るＬＥＤ１１ａ，２１１ａの照射下で皮膚内部を観察できる状態の画像を得ることができる。
【００７２】
１回のシャッタ操作で、ライトユニット３の光源であるＬＥＤ１１ａ（偏光有り）とＬＥＤ１２ａ（偏光無し）を切り替えて、１回のシャッタ操作で連写が可能となる。すなわち、ライトユニット３を偏光有りの場合と変更無しの場合とで交換する必要がない。
【００７３】
ダーモスコピー撮影用のＬＥＤの種類を、可視光タイプ、紫外タイプ、近赤外タイプとすることもでき、連写時に高速で切り替えることにより、１回のシャッタ操作で３種類の光源の撮影が可能となる。
【００７４】
従来のように２回撮影すると、どうしても画角がずれてしまうが、ダーモスコピー撮影時に、外光の変化やＡＥ、ホワイトバランス等のカメラの微妙な違いに影響されない、純粋な偏光／非偏光の同一画角の同一倍率の撮影が可能となることから、診断時間の短縮を図ることができるとともに、比較しやすい撮影画像を得ることができる。
【００７５】
ダーモスコピーカメラ３０においては、偏光の無いＬＥＤ２１２ａと偏光の有るＬＥＤ２１１ａの切替点灯に加えて又は代えて、光軸上に偏光フィルタ３１ｇが位置する場合と退避する場合とによって偏光／非偏光の切替を行うことができる。
【００７６】
その際、偏光フィルタ３１ｇを含む複数のフィルタ３１Ａはそれぞれ、回転動作によって独立して光軸に対して位置又は退避するので、ダーモスコピー撮影時、通常撮影時（臨床撮影時）、そのほかの別の撮影時において、求められるフィルタを選択的に任意に組み合わせて設定することができる。また、光軸に対する位置及び退避を回転動作によって行うことから、各フィルタと光軸との動作距離や動作時間を均一化することができる。さらに、レンズユニット２１Ａのサイズ特に奥行方向の厚みの大型化を生じさせず、実装効率が良好な撮像装置を提供できる。
【００７７】
（実施形態の変形について）
本実施形態は上述した態様に限定されず、様々な変形及び応用が可能である。上述の実施形態では、カメラ本体１，２１に対してライトユニット３，２３を回動可能に取り付けてもよいし、摺動可能に取り付けてもよい。要するに、撮影の際に、撮像レンズ系１ｄ，２１ｄの前方をライトユニット３，２３で覆うように配置すればよい。なお、撮像レンズ系１ｄ，２１ｄは、ダーモスコピーカメラ１０，２０の用途等を勘案して、ズームレンズに代えて固定焦点レンズとして構成しても差し支えない。
【００７８】
また、カメラ本体１，２１側の電源ランプ１７の点灯状態をライトユニット３，２３側で検知し、ライトユニット３，２３の点灯パターンを制御するにあたっては、より多くの点灯パターンを実施できるように、電源ランプ１７について、発光色を増やしたり、光量を増減したり、点滅させたりするなどの点灯状態のバリエーションを増強することにより、ライトユニット３，２３側でより複雑なライトコントロールが可能となる。
【００７９】
また、上記の実施形態では、カメラ本体１，２１の電源ランプ１７を制御のために用いているが、これ以外であっても、カメラ本体１，２１に設けられている既存の対外検知可能手段であれば制御のために用いてもよい。例えば、ストロボ、表示モニタなどで、それらの状態の変更をライトユニット３，２３側で検知できるものであれば、採用することができる。もちろん、カメラ本体１，２１とライトユニット３，２３を電気的に直接結線してもよい。
【００８０】
また、上記実施形態では、各種光源は、ＬＥＤであると説明したが、他の光源を採用してもよい。例えば、ハロゲンランプなどの高輝度ライト、半導体発光素子、及び有機エレクトロルミネッセンスなどの発光素子を用いることができる。
【００８１】
また、ＬＥＤ２１６は、白色光を発するＬＥＤから構成されていると説明したが、例えば青色光光源あるいは緑色光光源を採用してもよい。また、発する光の色が互いに異なる光源を設けるようにして、異なる色の光源ごとに独立して発光できる態様であってもよい。このように、異なる色の光を照射して撮像画像を得ることで、異なる像を得ることができ、異なる像を比較したり、像を重ね合わせたりすることで、皮膚疾患部の検査、及び診断を容易なものとすることができる。
【００８２】
また、上記の実施形態では、１回のシャッタ操作で連写を行なうと説明したが、高速で２回のシャッタ操作をした場合や、ダブルタップのような操作を、連写指令と判断して連写を行うようにしてもよい。
【００８３】
また、本実施形態に係る撮像装置は、上記実施形態で説明したダーモスコピーカメラ１０，２０のように、ダーモスコピー撮影のための撮像装置に限定されない。より一般的に被写体に接触することで撮影する撮像装置であるクローズアップカメラなどにも、本発明を適用することができる。
【００８４】
また、上記のダーモスコピーカメラ１０，２０においては、コントローラ２，２２（表示部２２Ｃ）に、タッチパネル式の画面（不図示）が設けられていると説明した。しかしながら、タッチパネル式の画面（不図示）等の表示部（操作受付部を兼ねるものを含む）を、コントローラ２，２２は物理的に分離した操作部に設けるようにしてもよい。コントローラ２，２２と表示部とは、既存の通信技術を用いて双方向に通信可能である。撮影者は、表示部を操作することにより、カメラ本体１，２１の各種設定やシャッタ操作等を行うことができる。
【００８５】
以下に、この出願の願書に最初に添付した特許請求の範囲に記載した発明を付記する。付記に記載した請求項の項番は、この出願の願書に最初に添付した特許請求の範囲のとおりである。
［請求項１］
疾患部位を被写体として撮影する撮像装置であって、
カメラ本体と、
前記カメラ本体に設けられ、互いに特性の異なる第１光源及び第２光源を備えるライトユニットと、を備え、
前記カメラ本体が、前記被写体に前記第１光源を照射して撮影し、続けて前記被写体に前記第２光源を照射して撮影することにより連写撮影を行うことを特徴とする撮像装置。
［請求項２］
前記第１光源が偏光光を照射するように構成されており、前記第２光源が非偏光光を照射するように構成されていることを特徴とする請求項１に記載の撮像装置。
［請求項３］
疾患部位を被写体として撮影する撮像装置であって、
カメラ本体と、
前記カメラ本体に設けられ、偏光光を照射する第１光源及び非偏光光を照射する第２光源を備えるライトユニットと、を備え、
前記カメラ本体が、前記被写体に前記第１光源又は前記第２光源を照射して撮影し、続けて前記被写体に前記第２光源又は前記第１光源を照射して撮影することにより連写撮影を行うことを特徴とする撮像装置。
［請求項４］
前記連写撮影が１回のシャッタ操作で行われることを特徴とする請求項１から３のいずれか１項に記載の撮像装置。
［請求項５］
前記ライトユニットがスイッチをさらに備え、
前記カメラ本体が、前記スイッチがオンのとき、前記第１光源及び前記第２光源の双方を順次に照射して連写撮影を行うことを特徴とする請求項１から４のいずれか１項に記載の撮像装置。
［請求項６］
前記スイッチがオンのとき、前記第１光源の照射下で撮影して前記第１光源を消灯した後に、前記第２光源を点灯して前記第２光源の照射下での連写撮影が行われることを特徴とする請求項５に記載の撮像装置。
［請求項７］
前記スイッチがオンのとき、前記第２光源の照射下で撮影して前記第２光源を消灯した後に、前記第１光源を点灯して前記第１光源の照射下での連写撮影が行われることを特徴とする請求項５に記載の撮像装置。
［請求項８］
前記第１光源及び前記第２光源がそれぞれ光軸を中心に対向して一対に設けられ、前記一対の第１光源と前記一対の第２光源がそれぞれ千鳥状に配置されていることを特徴とする請求項１から７のいずれか１項に記載の撮像装置。
［請求項９］
前記ライトユニットが、可視光、紫外光及び近赤外光の少なくとも２つの光源を含み、前記カメラ本体が１回のシャッタ操作で可視光、紫外光及び近赤外光の少なくとも２つの光を用いて連写することを特徴とする請求項１又は３に記載の撮像装置。
［請求項１０］
独立した少なくとも１つのフィルタを有し、前記フィルタが光軸に対して位置及び退避することが可能な前記フィルタユニットをさらに備えることを特徴とする請求項１又は３に記載の撮像装置。
［請求項１１］
前記フィルタが回転動作によって移動及び退避することを特徴とする請求項１０に記載の撮像装置。
［請求項１２］
前記フィルタユニットが、赤外カットフィルタ及び偏光フィルタを含むことを特徴とする請求項１０又は１１に記載の撮像装置。
［請求項１３］
前記フィルタユニットが、近赤外光透過フィルタ及び偏光フィルタを含むことを特徴とする請求項１０又は１１に記載の撮像装置。
［請求項１４］
前記第１光源及び前記第２光源は、前記カメラ本体の光軸に干渉しない位置に配置され、光軸に向かってテーパ状に前記被写体の方向に光を照射することを特徴とする請求項１から１３のいずれか１項に記載の撮像装置。
［請求項１５］
カメラ本体と、前記カメラ本体に設けられ、互いに特性の異なる第１光源及び第２光源を備えるライトユニットとを備え、疾患部位を被写体として撮影する撮像装置の撮像方法であって、
１回のシャッタ操作により、
前記第１光源を前記被写体に照射して前記被写体を撮影する工程と、
前記第２光源を前記被写体に照射して前記被写体を撮影する工程と、
を備えることを特徴とする撮像方法。
［請求項１６］
カメラ本体と、前記カメラ本体に設けられ、第１光源及び第２光源を備えるライトユニットとを備え、疾患部位を被写体として撮影する撮像装置の撮像方法であって、
１回のシャッタ操作により、
前記第１光源により前記被写体に偏光光を照射して前記被写体を撮影する第１工程と、
前記第２光源により前記被写体に非偏光光を照射して前記被写体を撮影する第２工程と、
を備えることを特徴とする撮像方法。
［請求項１７］
前記第１工程では前記疾患部位の皮膚内部の撮像画像を取得し、
前記第２工程では前記疾患部位の表皮の撮像画像を取得する
ことを特徴とする請求項１６に記載の撮像方法。
【符号の説明】
【００８６】
１０…ダーモスコピーカメラ（第１実施形態。撮像装置）
１…カメラ本体、１ａ…筐体、１ｂ…回路配線基板、１ｃ…撮像素子、１ｄ…撮像レンズ系
２…コントローラ
３…ライトユニット、３Ａ…第１カバー体、３Ｂ…第２カバー体、
４…取り付けステー
５…ステー固定ネジ
６…カバー部材
７…発光部
８…電源ボタン（ライトユニットの）
９…電池部（ライトユニットの）
１１ａ，１２ａ…ＬＥＤ（ダーモスコピー撮影用の光源）
１３，１４…偏光フィルタ
１５…フォトセンサ
１６…ＬＥＤ制御基板
１７…電源ランプ
１８…スイッチ
２０…ダーモスコピーカメラ（第２実施形態。撮像装置）
２１…カメラ本体、２１Ａ…レンズユニット、２１Ｂ…枠体
２１ａ…筐体、２１ｂ…回路配線基板、２１ｃ…撮像素子、２１ｄ…撮像レンズ系、２１ｅ…赤外カットフィルタ、２１ｆ…近赤外透過フィルタ、２１ｇ…偏光フィルタ、２１ｈ…フレキシブル回路基板
２２…コントローラ、２２Ａ…本体部、２２Ｂ…回路基板、２２Ｃ…表示部
２３…ライトユニット、２３Ａ…第１カバー体、２３Ｂ…第２カバー体、
２１１ａ，２１２ａ，２１５ａ…ＬＥＤ（ダーモスコピー撮影用の光源）
２１３…偏光フィルタ
２１６…ＬＥＤ（通常撮影用の光源）
２６…カバー部材
２７…発光部
２８…有線
２９…有線
３０…ダーモスコピーカメラ（第３実施形態。撮像装置）
３１…フィルタユニット、３１Ａ…複数のフィルタ、３１Ｂ…フィルタ取付板、３１Ｃ…固定部、３１ｅ…赤外カットフィルタ、３１ｆ…近赤外透過フィルタ、３１ｇ…偏光フィルタ
【図１】
2019115648.tif 000003
【図２】
2019115648.tif 000004
【図３】
2019115648.tif 000005
【図４】
2019115648.tif 000006
【図５】
2019115648.tif 000007
【図６】
2019115648.tif 000008
【図７】
2019115648.tif 000009
【図８】
2019115648.tif 000010
【図９】
2019115648.tif 000011
【図１０】
2019115648.tif 000012
【図１１】
2019115648.tif 000013
【図１２】
2019115648.tif 000014
【図１３】
2019115648.tif 000015
【図１４】
2019115648.tif 000016
【図１５】
2019115648.tif 000017
【図１６】
2019115648.tif 000018
【図１７】
2019115648.tif 000019
【図１８】
2019115648.tif 000020
【図１９】
2019115648.tif 000021
【図２０】
2019115648.tif 000022